(57)【要約】【課題】容易に製造できるとともに、取扱性の良い管継手の保護カバーを提供する。【解決手段】管継手１３の保護カバー１０は、同一形状をなし、管継手収容部１２を有する２つの分割体１１Ａ、１１Ｂを、前記管継手収容部１２が内側になるように連結してその管継手収容部１２に管継手１３が保持されるように構成されている。前記各分割体１１Ａ、１１Ｂの管継手収容部１２の一側部にはヒンジ部を構成する軸部１７と軸受部１８とが設けられ、両分割体１１Ａ、１１Ｂが開閉可能に形成されている。さらに、管継手収容部１２の他側部には係合部としての係合爪２０を有する係合突起２１と、被係合部としての挿通孔２２を有する被係合枠２３とが設けられ、両分割体１１Ａ、１１Ｂが連結されるように構成されている。【選択図】図１
0003195644.tif 000002
【実用新案登録請求の範囲】
【請求項１】
同一形状をなし、管継手収容部を有する２つの分割体を、前記管継手収容部が内側になるように連結してその管継手収容部に管継手を保持するように構成し、前記各分割体の一側部にはヒンジ部を形成して両分割体を開閉可能に構成するとともに、各分割体の他側部には係合部と被係合部とを設けて両分割体を連結するように構成した管継手の保護カバー。
【請求項２】
前記ヒンジ部は、軸部とその軸部が支承される軸受部とで構成されている請求項１に記載の管継手の保護カバー。
【請求項３】
前記係合部は係合爪を有する係合突起で構成され、被係合部は前記係合突起が挿通される挿通孔を有し、係合爪が係合される被係合枠で構成されている請求項１又は請求項２に記載の管継手の保護カバー。
【請求項４】
前記ヒンジ部は各分割体に少なくとも一対設けられるとともに、係合部及び被係合部は各分割体に少なくとも一対設けられている請求項１から請求項３のいずれか１項に記載の管継手の保護カバー。
【請求項５】
前記各分割体の開口端部には、管継手に接続される配管に被せられる鞘管の襞部が係止される抜け止め部が突出形成されている請求項１から請求項４のいずれか１項に記載の管継手の保護カバー。
【請求項６】
前記抜け止め部は複数設けられ、それらの抜け止め部は管継手収容部の開口端部ほど突出高さが低く設定されている請求項５に記載の管継手の保護カバー。
【考案の詳細な説明】
【技術分野】
【０００１】
本考案は、例えばチーズ継手のように三方に延びる管継手或いは配管に鞘管が被覆された管継手を収容して保護するための管継手の保護カバーに関する。
【背景技術】
【０００２】
温水機器、空調機器等に接続される配管は鞘管が被せられた状態で継手に連結され、それらの継手及び鞘管には損傷防止用の保護カバーが被覆される。この保護カバーは半筒状の２つの分割体で構成され、一方の分割体にはヒンジ部を構成する軸部が設けられるとともに、他方の分割体にはヒンジ部を構成する軸受部が設けられる。さらに、一方の分割体には係合部が設けられるとともに、他方の分割体には被係合部が設けられる。これらの分割体はそれぞれ形状が異なるため、別々の金型を使用して成形される。
【０００３】
この種の管継手の保護カバーとして、例えば配管カバー用継手が特許文献１に示されている。この配管カバー用継手は、断面コの字状に形成された支持具と押え具の先端部同士を係止させて略管状に形成するものである。すなわち、支持具と押え具の一方の先端部に軸部と軸受部とからなるヒンジ部を設け、支持具と押え具を開閉自在に連結するとともに、他方の先端部に互いに係止する係止突起及び係止凹部を設け、それらの係止突起及び係止凹部に互いに連通するビス孔を穿設せしめたものである。
【０００４】
そして、支持具と押え具の一方の先端部をヒンジ部で連結した後、他方の先端部の係止突起を係止凹部に係止し、ビス孔にビスを螺入することにより、支持具に押え具を連結することができる。
【先行技術文献】
【特許文献】
【０００５】
【特許文献１】実開平５−７５５９６号公報
【考案の概要】
【考案が解決しようとする課題】
【０００６】
前記特許文献１に記載された従来構成の配管カバー用継手においては、支持具と押え具のヒンジ部を構成する軸部と軸受部の形状及び係止突起と係止凹部の形状がそれぞれ相違している。このため、支持具と押え具を別々の金型を使用して個別に成形しなければならず、金型数が増えて金型構造が複雑になるとともに、支持具と押え具をそれぞれ成形するため製造工程が増え、製造時間を要する上に製造コストが嵩むという欠点があった。さらに、支持具と押え具の形状が異なることから、支持具と押え具を同数用意し、支持具と押え具を組合せて連結させなければならず、面倒で取扱性が悪いという問題があった。
【０００７】
そこで、本考案の目的とするところは、容易に製造できるとともに、取扱性の良い管継手の保護カバーを提供することにある。
【課題を解決するための手段】
【０００８】
上記の目的を達成するために、本考案の管継手の保護カバーは、同一形状をなし、管継手収容部を有する２つの分割体を、前記管継手収容部が内側になるように連結してその管継手収容部に管継手を保持するように構成し、前記各分割体の一側部にはヒンジ部を形成して両分割体を開閉可能に構成するとともに、各分割体の他側部には係合部と被係合部とを設けて両分割体を連結するように構成したものである。
【０００９】
前記ヒンジ部は、軸部とその軸部が支承される軸受部とで構成されていることが好ましい。
前記係合部は係合爪を有する係合突起で構成され、被係合部は前記係合突起が挿通される挿通孔を有し、係合爪が係合される被係合枠で構成されていることが好ましい。
【００１０】
前記ヒンジ部は各分割体に少なくとも一対設けられるとともに、係合部及び被係合部は各分割体に少なくとも一対設けられていることが好ましい。
前記各分割体の開口端部には、管継手に接続される配管に被せられる鞘管の襞部が係止される抜け止め部が突出形成されていることが好ましい。
【００１１】
前記抜け止め部は複数設けられ、それらの抜け止め部は管継手収容部の開口端部ほど突出高さが低く設定されていることが好ましい。
【考案の効果】
【００１２】
本考案の管継手の保護カバーによれば、容易に製造できるとともに、取扱性が良いという効果を奏する。
【図面の簡単な説明】
【００１３】
【図１】本考案の実施形態における管継手の保護カバーを開き、その内側の管継手収容部に、鞘管が接続された管継手を収容した状態を示す斜視図。
【図２】２つの分割体を連結する前の状態を示す斜視図。
【図３】２つの分割体をヒンジ部で連結した状態で、管継手収容部側を示す平面図。
【図４】２つの分割体をヒンジ部で連結した状態で、管継手の外面側を示す平面図。
【図５】鞘管を有する配管が接続された管継手を保護カバーで被覆している状態を示す斜視図。
【図６】（ａ）は軸受部を示す部分断面図、（ｂ）は前記軸受部に支承される軸部を示す部分断面図及び（ｃ）は軸部が軸受部に支承された状態を示す部分断面図。
【図７】（ａ）は係合爪を有する係合突起を示す部分断面図、（ｂ）は前記係合突起が挿通される挿通孔を有する被係合枠を示す部分断面図及び（ｃ）は係合突起の係合爪が被係合枠に係合された状態を示す部分断面図。
【図８】（ａ）は管継手収容部の開口端部に設けられた抜け止め部に大径の鞘管の襞部が係止されている状態を示す断面図及び（ｂ）は抜け止め部に小径の鞘管の襞部が係止されている状態を示す断面図。
【図９】本考案の別例を示し、（ａ）は軸受部を示す部分断面図、（ｂ）は軸部が軸受部に支承された状態を示す部分断面図。
【考案を実施するための形態】
【００１４】
以下、本考案の実施形態を図１〜図８に基づいて詳細に説明する。
図２に示すように、本実施形態の管継手の保護カバー１０は、半円筒状でＴ字状に形成された同一形状の２つの分割体１１Ａ、１１Ｂにより構成されている。各分割体１１Ａ、１１Ｂは直管状の第１分割部１１ａ及び第２分割部１１ｂ並びにそれらと直交して延びる第３分割部１１ｃにより構成されている。
【００１５】
図１に示すように、両分割体１１Ａ、１１Ｂはそれぞれの円弧の内側に管継手収容部１２を有し、それらの管継手収容部１２に管継手１３を収容して連結することにより、内側に管継手１３（チーズ継手）を保持できるようになっている。この管継手１３には架橋ポリエチレン等で形成された配管１４が接続され、それらの配管１４にはポリエチレン等で形成された鞘管１５が被覆されている。鞘管１５は蛇腹状に形成され、外周面には襞部１６が一定間隔をおいて設けられている。
【００１６】
図２に示すように、前記第１分割部１１ａ及び第２分割部１１ｂにおける第３分割部１１ｃが設けられていない一側部には、ヒンジ部としての軸部１７と、その軸部１７が支承されるヒンジ部としての軸受部１８とが一対設けられている。
【００１７】
図２及び図６（ａ）に示すように、軸受部１８は半円筒状に形成され、第１分割部１１ａ又は第２分割部１１ｂの一側部から突出形成されている。図２及び図６（ｂ）に示すように、軸部１７は円棒状をなし、その両端部が第１分割部１１ａ又は第２分割部１１ｂの一側部から延出された一対の支持脚部１９間に架設されている。両支持脚部１９間の間隔は、前記軸受部１８の幅より広く設定され、軸部１７が軸受部１８に係止可能となっている。
【００１８】
そして、図２及び図６（ｃ）に示すように、前記軸部１７は軸受部１８に支承され、両分割体１１Ａ、１１Ｂが相対回動できるように構成されている。すなわち、両分割体１１Ａ、１１Ｂはヒンジ部を中心にして開閉可能に構成されている。図３及び図４に示すように、ヒンジ部を中心にして両分割体１１Ａ、１１Ｂを開いた状態では、両分割体１１Ａ、１１Ｂはほぼ水平に延び、一方の分割体１１Ａの管継手収容部１２に鞘管１５付きの管継手１３が収容されるようになっている。
【００１９】
図２及び図７（ａ）に示すように、前記第１分割部１１ａ又は第２分割部１１ｂの他側部には、係合部として先端に楔状の係合爪２０を有する係合突起２１が設けられている。さらに、第３分割部１１ｃの一側部又は他側部には、同様の係合爪２０を有する係合突起２１が設けられている。
【００２０】
図２及び図７（ｂ）に示すように、第１分割部１１ａ又は第２分割部１１ｂの他側部には、被係合部として前記係合突起２１が挿通される挿通孔２２を有し、前記係合爪２０が係合される被係合枠２３が設けられている。さらに、第３分割部１１ｃの一側部又は他側部には挿通孔２２を有する長四角枠状の被係合枠２３が設けられている。
【００２１】
そして、図２及び図７（ｃ）に示すように、前記係合突起２１は挿通孔２２に挿通され、係合爪２０が被係合枠２３に係合されるように構成されている。すなわち、第１分割部１１ａ同士、第２分割部１１ｂ同士及び第３分割部１１ｃ同士が連結されるようになっている。
【００２２】
図１に示すように、第１分割部１１ａ、第２分割部１１ｂ及び第３分割部１１ｃの開口端部には、前記鞘管１５の襞部１６が係止される抜け止め部２４が突出形成されている。この抜け止め部２４は、断面半円環状のリブで構成されている。各分割部１１ａ、１１ｂ、１１ｃにおける抜け止め部２４はそれぞれ２箇所に設けられ、開口端部側の抜け止め部２４ａが内奥部側の抜け止め部２４ｂより突出高さが低く設定されている。
【００２３】
以上のように構成された保護カバー１０を形成する両分割体１１Ａ、１１Ｂは、樹脂成形用金型を使用し、例えば高密度ポリエチレン、ポリプロピレン等の硬質の合成樹脂により製造することができる。この場合、両分割体１１Ａ、１１Ｂは同一形状に形成されていることから、同一の樹脂成形用金型により常法に従って製造することができる。上記のような硬質の合成樹脂を使用することにより、保護カバー１０の保護機能を高めることができる。
【００２４】
次に、上記のように構成された本実施形態の管継手１３の保護カバー１０について作用を説明する。
さて、図２に示すように、２つの分割体１１Ａ、１１Ｂを連結して保護カバー１０を構成する場合には、両分割体１１Ａ、１１Ｂをそれらの各分割部１１ａ、１１ｂ、１１ｃの管継手収容部１２が各々対向するように配置する。続いて、図６（ｃ）に示すように、一方の分割体１１Ａの軸部１７を他方の分割体１１Ｂの軸受部１８に引っ掛けた後、他方の分割体１１Ｂの軸部１７を一方の分割体１１Ａの軸受部１８に引っ掛け、両軸部１７を両軸受部１８に支承する。このようにして、両分割体１１Ａ、１１Ｂは両ヒンジ部を中心にして回動可能となる。
【００２５】
図１に示すように、両分割体１１Ａ、１１Ｂを開いた状態で、鞘管１５付きの配管１４が接続された管継手１３を、一方の分割体１１Ａにおける各分割部１１ａ、１１ｂ、１１ｃの管継手収容部１２に収容する。このとき、図８（ａ）に示すように、鞘管１５の直径が大きい場合には、各分割部１１ａ、１１ｂ、１１ｃの開口端部側の抜け止め部２４ａに鞘管１５の襞部１６が係止され、鞘管１５が抜け止めされる。また、図８（ｂ）に示すように、鞘管１５の直径が小さい場合には、各分割部１１ａ、１１ｂ、１１ｃの内奥部側の抜け止め部２４ｂに鞘管１５の襞部１６が係止され、鞘管１５が抜け止めされる。
【００２６】
その後、他方の分割体１１Ｂを、ヒンジ部を中心にして一方の分割体１１Ａ側へ回動する。そして、図７（ｃ）に示すように、両分割体１１Ａ、１１Ｂにおける各分割部１１ａ、１１ｂ、１１ｃの係合突起２１の係合爪２０を被係合枠２３の挿通孔２２に挿通して被係合枠２３に係合する。このようにして、図５に示すように、他方の分割体１１Ｂを一方の分割体１１Ａに連結させることができる。連結後には、管継手１３は保護カバー１０に覆われるとともに、配管１４に被せられた鞘管１５の端部も保護カバー１０に被覆され、保護機能が発現される。
【００２７】
以上の実施形態によって得られる効果を以下にまとめて記載する。
（１）この実施形態の管継手１３の保護カバー１０は、同一形状をなす２つの分割体１１Ａ、１１Ｂを、管継手収容部１２が内側になるように連結してその管継手収容部１２に管継手１３を保持するように構成されている。前記各分割部１１ａ、１１ｂの一側部にはヒンジ部を形成して両分割体１１Ａ、１１Ｂを開閉可能に構成するとともに、各分割部１１ａ、１１ｂの他側部には係合部と被係合部とを設けて両分割体１１Ａ、１１Ｂを連結するように構成されている。
【００２８】
前記保護カバー１０を構成する２つの分割体１１Ａ、１１Ｂは全く同一の形状に形成されていることから、同一の金型を使用して容易かつ速やかに製造することができる。さらに、両分割体１１Ａ、１１Ｂをヒンジ部で開いた状態にし、管継手収容部１２に管継手１３を収容した後、係合部と被係合部を連結して保護カバー１０を簡単に形成することができる。
【００２９】
従って、実施形態の管継手１３の保護カバー１０によれば、容易に製造できるとともに、取扱性が良好であるという効果を奏する。
（２）前記ヒンジ部は、軸部１７とその軸部１７が支承される軸受部１８とで構成されている。このため、軸部１７を軸受部１８に支承させることによりヒンジ部を構成し、そのヒンジ部を中心にして両分割体１１Ａ、１１Ｂを開閉可能に形成することができる。
【００３０】
（３）前記係合部は係合爪２０を有する係合突起２１で構成され、被係合部は前記係合突起２１が挿通される挿通孔２２を有し、係合爪２０が係合される被係合枠２３で構成されている。そのため、係合突起２１を挿通孔２２に挿通し、係合爪２０を被係合枠２３に係合することにより、両分割体１１Ａ、１１Ｂを簡単な操作で連結することができる。
【００３１】
（４）前記ヒンジ部は各分割体１１Ａ、１１Ｂに一対設けられるとともに、係合部及び被係合部は各分割体１１Ａ、１１Ｂに一対設けられている。従って、ヒンジ部の機能を安定して発揮できるとともに、両分割体１１Ａ、１１Ｂの連結を強固に行うことができる。
【００３２】
（５）前記各分割体１１Ａ、１１Ｂの開口端部には抜け止め部２４が突出形成され、管継手１３に接続される配管１４に被せられる鞘管１５の襞部１６が係止されるようになっている。このため、鞘管１５が保護カバー１０から抜け出すことを規制することができる。
【００３３】
（６）前記抜け止め部２４は２箇所に設けられ、それらの抜け止め部２４ａ、２４ｂは管継手収容部１２の開口端部ほど突出高さが低く設定されている。そのため、抜け止め部２４ａ、２４ｂを直径の異なる２種類の鞘管１５に対応させることができ、直径の異なる２種類の鞘管１５が保護カバー１０から抜け出すことを規制することができる。
【００３４】
なお、前記実施形態は、次のように変更して具体化することも可能である。
・図９（ａ）に示すように、前記軸受部１８を、その断面円弧形状が実施形態に比べて円に近づくように大きく形成してもよい。言い換えれば、図９（ｂ）に示すように、軸受部１８の開口部１８ａの開口幅ｄが軸部１７の直径よりも小さくなるように構成してもよい。このように構成した場合には、軸部１７を軸受部１８の開口部１８ａから無理嵌めして装着することにより、軸部１７を軸受部１８から外れ難くすることができる。
【００３５】
・前記両分割体１１Ａ、１１Ｂを一方向に延びるように構成し、直管状の管継手１３を保護するように構成したり、両分割体１１Ａ、１１Ｂを直角方向に延びるように構成し、エルボ状の管継手１３を保護するように構成したりしてもよい。
【００３６】
・前記ヒンジ部を各分割体１１Ａ、１１Ｂの分割部１１ａ、１１ｂの一側部に二対以上設けるように構成し、ヒンジ部の機能を一層安定化させるようにしてもよい。
・前記係合部及び被係合部を、両分割体１１Ａ、１１Ｂの各分割部１１ａ、１１ｂ、１１ｃに二対以上設け、両分割体１１Ａ、１１Ｂの連結を一層強固にしてもよい。
【００３７】
・前記抜け止め部２４を、分割部１１ａ、１１ｂ、１１ｃの各開口端部に３箇所以上設け、３種類以上の直径を有する鞘管１５を保護カバー１０に装着できるように構成してもよい。なお、この場合には、抜け止め部２４は分割部１１ａ、１１ｂ、１１ｃの各開口端部側ほど突出高さが低くなるように設定する。
【００３８】
・前記抜け止め部２４を、断面が円弧状をなす１つのリブで形成したり、断面が小さな円弧状をなす複数のリブで形成したりしてもよい。
・前記係合部及び被係合部を、雄ねじと雌ねじとからなるねじ部材により構成してもよい。
【００３９】
・前記第３分割部１１ｃにおける係合部としての係合爪２０を有する係合突起２１及び被係合部としての挿通孔２２を有する被係合枠２３を省略してもよい。
【符号の説明】
【００４０】
１０…保護カバー、１１Ａ、１１Ｂ…分割体、１２…管継手収容部、１３…管継手、１４…配管、１５…鞘管、１６…襞部、１７…ヒンジ部としての軸部、１８…ヒンジ部としての軸受部、２０…係合部としての係合爪、２１…係合部としての係合突起、２２…被係合部としての挿通孔、２３…被係合部としての被係合枠、２４、２４ａ、２４ｂ…抜け止め部。
【図１】
0003195644.tif 000003
【図２】
0003195644.tif 000004
【図３】
0003195644.tif 000005
【図４】
0003195644.tif 000006
【図５】
0003195644.tif 000007
【図６】
0003195644.tif 000008
【図７】
0003195644.tif 000009
【図８】
0003195644.tif 000010
【図９】
0003195644.tif 000011